(57)【要約】【課題】プロジェクタ装置のフレネルレンズやレンチキュラースクリーンの挫屈による解像度の劣化等を防ぐ。【解決手段】レンチキュラースクリーン１０およびフレネルレンズ１１からなるスクリーンユニットを、筐体１の前面側に膨らむ湾曲状態で上下のスクリーン支持部材１３ａ、１３ｂに保持させ、前面側から、剛性の高い平板状の前面板１２を押し付けて前面板固定部材１４ａ、１４ｂによって固定することで、スクリーンユニットを平面状に形状補正して前面板１２に密着させる。レンチキュラースクリーン１０、フレネルレンズ１１および前面板１２が密着した高剛性の一体構造となるため、レンチキュラースクリーン１０やフレネルレンズ１１に挫屈が発生することなく、画像性能を維持できる。【選択図】図１
2005283728.tif 000002
【特許請求の範囲】
【請求項１】
フレネルレンズおよびレンチキュラースクリーンを重ね合わせたスクリーンユニットと、前記スクリーンユニットを片面側に膨出する凸形状に弾性変形させて保持する保持部を備えた支持体と、平板状の前面板と、前記前面板を前記スクリーンユニットの膨出側に押圧して前記支持体に固定する固定手段とを有し、前記前面板によって前記スクリーンユニットが凸形状から平面形状に補正され、前記前面板に対して密着していることを特徴とするスクリーン取付構造。
【請求項２】
フレネルレンズおよびレンチキュラースクリーンを重ね合わせたスクリーンユニットと、前記スクリーンユニットに映像を形成する映像形成手段と、前記映像形成手段を内蔵し、前記スクリーンユニットを取り付けるスクリーン開口を有する筐体と、前記スクリーンユニットを前記スクリーン開口の前面側または後面側に膨出する凸形状に弾性変形させて保持する保持部を備えた支持体と、平板状の前面板と、前記前面板を前記スクリーンユニットの膨出側に押圧して前記支持体に固定する固定手段とを有し、前記前面板によって前記スクリーンユニットが凸形状から平面形状に補正され、前記前面板に対して密着していることを特徴とするプロジェクタ装置。
【発明の詳細な説明】
【技術分野】
【０００１】
本発明は、リアプロジェクタ等のプロジェクタ装置にスクリーンを取り付けるためのスクリーン取付構造およびプロジェクタ装置に関するものである。
【背景技術】
【０００２】
近年、スクリーンの背面側から投射された光像をスクリーンの前面側から視認するようにした背面投射型プロジェクタ（リアプロジェクタ）が提案されている。このようなプロジェクタ装置は、ＣＲＴディスプレイ装置と比較して、大画面でありながら奥行きや設置面積が小さくて済むという特徴を有している。
【０００３】
図７は、従来例によるリアプロジェクタを示すもので、そのスクリーン取付構造は、レンチキュラースクリーン１１０、フレネルレンズ１１１および前面板１１２が、床面に対して垂直に立てられ、エスカッションと呼ばれる前面パネル１０４と、上部スクリーン取付板１０５ａ、下部スクリーン取付板１０５ｂとの間に挟まれて、ビス１０６ａ、１０６ｂによって固定され、筐体１０１のスクリーン開口に設置されている。前面パネル１０４は、筐体１０１の開口縁に組み付けられ、筐体１０１内には映像出力源１０２、反射ミラー１０３等が収容され、映像出力源１０２から出力された映像光Ｌは反射ミラー１０３によって折り返されて、スクリーン上に投影する構成になっている。
【特許文献１】特開２００１−２９６６０６号公報
【発明の開示】
【発明が解決しようとする課題】
【０００４】
しかしながら、従来の技術では、図７に示すように大画面のスクリーンを形成するための、前面板１１２、レンチキュラースクリーン１１０およびフレネルレンズ１１１は、それぞれ床面に対して垂直に立てられて設置されるため、厚さ１ｍｍ〜２ｍｍのレンチキュラースクリーン１１０やフレネルレンズ１１１は、薄い肉厚のために自重に耐えられなくなって挫屈変形を起こし、図６に示すように、前面板１１２とレンチキュラースクリーン１１０の間にスキマＳ1 、レンチキュラースクリーン１１０とフレネルレンズ１１１の間にスキマＳ2 などを生じることがある。
【０００５】
これらのスキマＳ1 、Ｓ2 が生じることによって、画面上の性能劣化、特に、解像度の低下や画像歪みが発生することになってしまう。
【０００６】
本発明は上記従来の技術の有する未解決の課題に鑑みてなされたものであり、レンチキュラースクリーンやフレネルレンズの挫屈による画像歪みや解像度劣化を防ぎ、画像性能を大幅に向上できるスクリーン取付構造およびプロジェクタ装置を提供することを目的とするものである。
【課題を解決するための手段】
【０００７】
上記目的を達成するため、本発明のスクリーン取付構造は、フレネルレンズおよびレンチキュラースクリーンを重ね合わせたスクリーンユニットと、前記スクリーンユニットを片面側に膨出する凸形状に弾性変形させて保持する保持部を備えた支持体と、平板状の前面板と、前記前面板を前記スクリーンユニットの膨出側に押圧して前記支持体に固定する固定手段とを有し、前記前面板によって前記スクリーンユニットが凸形状から平面形状に補正され、前記前面板に対して密着していることを特徴とする。
【０００８】
本発明のプロジェクタ装置は、フレネルレンズおよびレンチキュラースクリーンを重ね合わせたスクリーンユニットと、前記スクリーンユニットに映像を形成する映像形成手段と、前記映像形成手段を内蔵し、前記スクリーンユニットを取り付けるスクリーン開口を有する筐体と、前記スクリーンユニットを前記スクリーン開口の前面側または後面側に膨出する凸形状に弾性変形させて保持する保持部を備えた支持体と、平板状の前面板と、前記前面板を前記スクリーンユニットの膨出側に押圧して前記支持体に固定する固定手段とを有し、前記前面板によって前記スクリーンユニットが凸形状から平面形状に補正され、前記前面板に対して密着していることを特徴とする。
【発明の効果】
【０００９】
弾性変形させて支持体に保持された凸形状のスクリーンユニットに高剛性の前面板を押し付けることで、平板状の前面板に添うようにスクリーンユニットを形状補正し、前面板とスクリーンユニットを弾力的に密着させた状態で支持体に固定する構成であるため、高剛性の前面板とスクリーンユニットが堅固に一体化され、レンチキュラースクリーンやフレネルレンズが挫屈を起こすおそれがない。
【００１０】
このように極めて簡単な構成によって、レンチキュラースクリーンやフレネルレンズの挫屈を防ぎ、スクリーンの平面性の劣化やスキマの発生を回避することで、プロジェクタ装置の画像性能を低コストで大幅に向上できる。
【発明を実施するための最良の形態】
【００１１】
図１に示すプロジェクタ装置は、筐体１内に映像形成手段である映像出力源２、反射ミラー３等が配設され、筐体１の開口部（スクリーン開口）に配設された前面パネル４には、レンチキュラースクリーン１０、フレネルレンズ１１からなるスクリーンユニットおよび前面板１２の取付部が内蔵される。
【００１２】
スクリーンユニットの取り付けに当り、図２に示すように、フレネルレンズ１１およびレンチキュラースクリーン１０を、両者同じ方向に湾曲させ、プロジェクタ装置の前後どちらかに膨らんだ凸形状の状態で、筐体１の開口縁１ａに固着された支持体であるスクリーン支持部材１３ａ、１３ｂに取り付けたうえで、剛性が高く平板状の前面板１２を、スクリーンユニットの膨らみが凸である方向から矢印Ａで示すように押し付けて固定する。これによって、スクリーンユニットの膨らみが前面板１２の面に当り、前面板１２の平面形状に添うように形状補正され、さらに、前面板１２、レンチキュラースクリーン１０およびフレネルレンズ１１が互いに隙間なく密着する。
【００１３】
このように高剛性の構造体にすることで、レンチキュラースクリーン１０およびフレネルレンズ１１の挫屈変形を抑えて、画像の解像度劣化や画像歪み等のない良好な画像性能を実現することができる。
【実施例１】
【００１４】
図１に示すように、映像出力源２、反射ミラー３を内蔵する筐体１の開口縁１ａには、エスカッションと呼ばれる前面パネル４が取り付けられ、前面板１２は、材質はガラスなどで、充分な強度（剛性）と平面性を兼ね備えており、前述のように、レンチキュラースクリーン１０およびフレネルレンズ１１からなるスクリーンユニットに密着した状態で、固定手段である前面板固定部材１４ａ、１４ｂおよび固定ビス１５ａ、１５ｂによってスクリーン支持部材１３ａ、１３ｂに固定される。
【００１５】
映像出力源２から発した映像光Ｌは、反射ミラー３によって反射され、フレネルレンズ１１、レンチキュラースクリーン１０に到達し、スクリーン上で映像が形成される。
【００１６】
図２は前面板１２が取り付けられる前の状態を示すもので、レンチキュラースクリーン１０、フレネルレンズ１１は、固定ビス１６ａ、１６ｂによって筐体１の開口縁１ａに固定されたスクリーン支持部材１３ａ、１３ｂによって、図面左側に凸形状になるように弾性変形した状態で保持される。このとき、レンチキュラースクリーン１０、フレネルレンズ１１の下部とスクリーン支持部材１３ｂの保持部（溝）との間にはクリアランスをほとんど設けず、しっかり固定させる。これに対して、レンチキュラースクリーン１０、フレネルレンズ１１の上部と、スクリーン支持部材１３ａの保持部（溝）との間にはクリアランスを設けて、矢印Ｂで示す方向に抵抗なく滑るようにし、なおかつ、スクリーン逃げスペースＲを設けることによって、レンチキュラースクリーン１０、フレネルレンズ１１が、前面板１２によってＡ方向に押されて撓むとき、上部がＢ方向に逃げられるようにする。
【００１７】
前面板１２をＡ方向に押し付けて固定すると、スクリーンユニットが平面形状に形状補正され、Ａ方向に押し付けようとする力に対して、レンチキュラースクリーン１０、フレネルレンズ１１が元の形状に戻ろうとする力が矢印Ｉで示すように働き、その結果、図１に示すように平面状態で前面板１２に密着する。レンチキュラースクリーン１０、フレネルレンズ１１はそれぞれ、厚さ１ｍｍ〜２ｍｍのモールドで構成されているため、前面板１２に押圧されて前面板１２の平面形状に添うしなやかさがあり、しかも前面板１２によって形状補正されても前面板１２に密着するだけの弾性力を兼ね備えている。
【実施例２】
【００１８】
図３に示すように、前面板１２が筐体１の内側に面して取り付けられる構成においては、図４に示すように、レンチキュラースクリーン１０、フレネルレンズ１１を実施例１と逆向きの背面側に膨らむように保持するスクリーン支持部材２３ａ、２３ｂを用いる。ここで、レンチキュラースクリーン１０、フレネルレンズ１１の下部とスクリーン支持部材２３ｂの保持部（溝）との間には、クリアランスをほとんど設けず、しっかり固定させる。これに対して、レンチキュラースクリーン１０、フレネルレンズ１１の上部とスクリーン支持部材２３ａの保持部（溝）との間には、クリアランスを設け、Ｄ方向に抵抗なく滑るようにし、かつ、スクリーン逃げスペースＲを設けることによって、レンチキュラースクリーン１０、フレネルレンズ１１が、前面板１２によってＣ方向に押されて撓むとき、Ｄ方向に逃げられるようにする。
【００１９】
前面板１２をＣ方向に押し付けて前面板固定部材２４ａ、２４ｂによって固定すると、スクリーンユニットが平面形状に形状補正され、Ｃ方向に押し付けようとする力に対して、レンチキュラースクリーン１０、フレネルレンズ１１が元の形状に戻ろうとする力がＪ方向に働き、その結果、図３に示すように前面板１２に密着する。
【００２０】
レンチキュラースクリーン１０、フレネルレンズ１１はそれぞれ、厚さ１ｍｍ〜２ｍｍのモールドで構成されているため、前面板１２に押圧されて前面板１２の面に添うしなやかさがあり、しかも前面板１２によって形状補正されても前面板１２に密着するだけの弾性力を兼ね備えている。
【００２１】
図５の（ａ）に示すように、レンチキュラースクリーン１０、フレネルレンズ１１に前面板１２を押圧して形状補正した時の幅寸法Ｗ0 と、前面板１２をレンチキュラースクリーン１０、フレネルレンズ１１に押し付けていないフリーの状態の幅寸法Ｗ1 の関係は、Ｗ1 ＞Ｗ0 であるため、レンチキュラースクリーン１０、フレネルレンズ１１の下部および上部が固定されて動かない状態で保持されていると、図５の（ｂ）に示すように、（Ｗ1 −Ｗ0 ）の寸法差によってスキマＳが発生し、前面板１２に密着しなくなってしまう。そこで、前述のように、レンチキュラースクリーン１０、フレネルレンズ１１の端部を保持する保持部にスクリーン逃げスペースを設けて、前面板１２を固定したときの密着構造を確実に実現する。
【００２２】
前面板とレンチキュラースクリーンとフレネルレンズが隙間なく密着された状態を安定して維持することで、レンチキュラースクリーンとフレネルレンズの間のスキマ発生によって生じる解像度の劣化を防止することができる。また、平板状で高剛性の前面板にレンチキュラースクリーンとフレネルレンズが密着して一体化することにより、レンチキュラースクリーンとフレネルレンズの平面性が保たれるため、画像の歪みを抑えることができる。
【００２３】
その結果、プロジェクタ装置の画像性能を大幅に向上させることができる。
【図面の簡単な説明】
【００２４】
【図１】実施例１によるプロジェクタ装置を示す模式図である。
【図２】図１のスクリーン取付構造を前面板を取り付ける前の状態で示す図である。
【図３】実施例２によるプロジェクタ装置を示す模式図である。
【図４】図２のスクリーン取付構造を前面板を取り付ける前の状態で示す図である。
【図５】前面板を取り付ける前後の寸法関係を説明する図である。
【図６】一従来例における画像性能の劣化を説明する図である。
【図７】図６の従来例の全体構成を示す模式断面図である。
【符号の説明】
【００２５】
１    筐体
２    映像出力源
３    反射ミラー
４    前面パネル
１０    レンチキュラースクリーン
１１    フレネルレンズ
１２    前面板
１３ａ、１３ｂ、２３ａ、２３ｂ    スクリーン支持部材
１４ａ、１４ｂ、２４ａ、２４ｂ    前面板固定部材
１５ａ、１５ｂ、１６ａ、１６ｂ    固定ビス
【図１】
2005283728.tif 000003
【図２】
2005283728.tif 000004
【図３】
2005283728.tif 000005
【図４】
2005283728.tif 000006
【図５】
2005283728.tif 000007
【図６】
2005283728.tif 000008
【図７】
2005283728.tif 000009